(57)【要約】【課題】  作業員が誤って手を掛けてもロックが外れのない構造簡易な蓋体の開放保持装置を提供する。【解決手段】開放保持装置２５は、蓋体２の開閉動作に応じて屈伸するアーム６，７と、蓋体２を開放位置にきたときに自動的にアーム６，７の相互枢着部に係合してアーム６，７を伸直位置に固定する保持部材１３とを具備する。アーム６，７は、蓋体２が倒伏位置にあるときに相互に屈折位置にあり、蓋体２が起立位置にあるときに相互に伸直位置にある。保持部材１３は、第２のアーム６に摺動自在に被挿され、伸直位置において自重移動してアーム６，７の相互枢着部に係合する。保持部材の摺接部１３ａは、蓋体２の開閉動作に伴って第１のアーム６と第２のアーム７とが相対変位する間、常時アーム６に摺接して保持部材１３をアーム７上で軸線方向に往復移動させる。【選択図】図３
0003136119.tif 000002
【実用新案登録請求の範囲】
【請求項１】
起立位置において開口を開放し、倒伏位置において開口を閉鎖するように、一端側において開口の縁に起伏自在に枢着された蓋体を、起立位置に保持するための装置であって、
基端部においてそれぞれ前記開口の内周又は前記蓋体に枢着され、先端部において互いに枢着され、蓋体が倒伏位置にあるときに相互に屈折位置にあり、蓋体が起立位置にあるときに相互に伸直位置にあるように、蓋体の開閉動作に応じて屈伸可能に設けられる第１及び第２のアームと、
蓋体に枢着された第２のアームに摺動自在に被挿され、伸直位置において自重移動して第１及び第２のアームの相互枢着部に係合し、第１及び第２のアームを伸直位置に固定する保持部材とを具備し、
前記保持部材は、前記蓋体の開閉動作に伴って前記第１のアームと第２のアームとが相対変位する間、常時前記第１のアームに摺接して保持部材を第２のアーム上で軸線方向に往復移動させる摺接部を具備し、
この摺接部は、前記蓋体が倒伏位置にあるとき前記第１のアームの基端側に当接することによって前記保持部材を第２のアームの基端側に配置し、蓋体が倒伏位置から起立位置へ至る間に前記第１のアームに対して先端側へ摺動することによって保持部材を第２のアームの先端側へ移動させ、第１及び第２のアームが伸直位置に達する直前に第１のアームから離れて保持部材を第１及び第２のアームの相互枢着部に係合させるように構成されることを特徴とする蓋体の開放保持装置。
【請求項２】
前記第２のアームは、伸直位置に達したときに前記保持部材を第１及び第２のアームの相互枢着部に係合させる位置に停止させるためのストッパを先端側に具備することを特徴とする請求項１に記載の蓋体の開放保持装置。
【請求項３】
前記保持部材の摺接部は、保持部材から前記第２のアームの軸線に直交する方向に延出しており、前記蓋体が倒伏位置にあるとき先端部が前記第１のアームの基端に係合し、蓋体が倒伏位置から起立位置へ至る間に先端部が第１のアームの軸線に沿う側面上を先端側へ摺動し、第１及び第２のアームが伸直位置に達する直前に第１のアームから離れて保持部材を解放し、保持部材を前記ストッパに当接するまで第２のアーム上で先端方向へ自重落下させ、それにより保持部材を第１及び第２のアームの相互枢着部に係合させるように構成されることを特徴とする請求項２に記載の蓋体の開放保持装置。
【請求項４】
前記保持部材には、前記開口の外側へ延びる操作紐の一端が係止され、操作紐を開口の外側から牽引して、保持部材と第１及び第２のアームの相互枢着部との係合を解くことにより、前記蓋体を倒伏させることができるように構成されることを特徴とする請求項１ないし３のいずれかに記載の蓋体の開放保持装置。
【考案の詳細な説明】
【技術分野】
【０００１】
例えば、電力ケーブル、通信ケーブル等が敷設された地中洞道には、換気孔が適宜配置され、換気孔の開口にはグレーチング蓋のような蓋体が開閉自在に設置される。必要に応じてこの蓋体を開放して作業員が洞道へ出入りできるようになっている。この考案は、作業員が出入りする間、蓋体を起立した開放位置に保持して作業員の安全を確保するための開放保持装置に関する。
【背景技術】
【０００２】
図８ないし図１１にはケーブルが敷設されている地下洞道の換気孔の一部を示す。出入口となる開口１上にはグレーチング蓋のような蓋体２がヒンジ３を介して開閉可能に装着されている。
【０００３】
ところで、蓋体２は、通常、鋼鉄等から製作されているので、その重量は一般に４０〜１００Ｋｇとなる。このような大重量の蓋体２の開閉作業を楽にするために、ガススプリング式の開閉補助装置４が開口１の内周壁と蓋体２との間に介設される（例えば実用新案登録文献１参照）。
【０００４】
また、作業員が洞道に出入りする際等に、不用意に蓋体２が閉じないように、開放保持装置を設けることが知られている（例えば実用新案登録文献２参照）。図８ないし図１１に示す開放保持装置５は、開口１の内周壁と蓋体２との間に介設される。開放保持装置５は、互いに先端部において枢ピン８で枢着された第１及び第２のアーム６，７を具備する。アーム６は、基端部において開口の内周に枢ピン９で枢着され、アーム６は、蓋体２の下面に固着されたイヤ１０に、枢ピン１１で枢着される。アーム６，７は、蓋体２の開閉動作に応じて屈伸可能であり、蓋体２が図９に示す倒伏位置にあるときに相互に屈折した位置にあり、蓋体２が図９に示す起立位置にあるときに相互に伸直した保持位置にある。アーム７は、図１０に示すように、２枚のリンクプレート７ａ，７ａからなり、先端部はストッパ１２で結合されており、２枚のリンクプレート７ａ，７ａ間にアーム６の先端部を受け入れている。図１０，１１に示すように、ストッパ１２は、アーム６，７を保持位置で停止させる。倒伏位置（図９）にある蓋体を開いて起立位置（図１０）へ持ち来す間に、アーム６，７は、相互に軸線を直線上に配置するトグルポイントを通過し、わずかに屈折した保持位置（図１０，１１）で停止する。したがって、起立位置にある蓋体２（図１０）を閉じるためには、保持位置にあるアーム６，７の相互枢着部を開口１の中央側へ押してトグルポイントを反対側へ通過させることによりトグルロックを外す必要がある。この操作は、作業員が洞道の外へ出た後に行われる。アーム６，７のトグルロックを外すと、蓋体２は自重で倒伏位置へ戻る。その間、開閉補助装置３（図８）が働いて、蓋体２の急激な転倒を防止する。
【特許文献１】特開平０８−２３２２８３号公報
【特許文献２】特開２００６−１１２２０４号公報
【考案の開示】
【考案が解決しようとする課題】
【０００５】
上記従来の開放保持装置５においては、作業員が出入りする際に、誤ってアーム６，７に手を掛けると、トグルロックが外れて不用意に蓋体２が転倒し、作業員がアーム６，７に手を挟まれる等の事故を生じるおそれがある。
したがって、この出願に係る考案は、作業員が出入りする際に、誤って手を掛けてもロックが外れることのない構造簡易な蓋体の開放保持装置を提供することを課題としている。
【課題を解決するための手段】
【０００６】
上記課題を解決するため、この出願に係る考案においては、蓋体２の開閉動作に応じて屈伸可能に設けられる第１及び第２のアーム６，７と、蓋体２を開放位置に持ち来したときに自動的にアーム６，７の相互枢着部に係合してアーム６，７を伸直位置に固定する保持部材１３とを具備する開放保持装置２５を提供する。
アーム６，７は、基端部においてそれぞれ開口１の内周又は蓋体２に枢着され、先端部において互いに枢着され、蓋体２が倒伏位置にあるときに相互に屈折位置にあり、蓋体２が起立位置にあるときに相互に伸直位置にある。保持部材１３は、第２のアーム６に摺動自在に被挿され、伸直位置において自重移動して第１及び第２のアーム６，７の相互枢着部に係合する。保持部材１３は、摺接部１３ａを具備する。
保持部材の摺接部１３ａは、蓋体２の開閉動作に伴って第１のアーム６と第２のアーム７とが相対変位する間、常時第１のアーム６に摺接して保持部材１３を第２のアーム７上で軸線方向に往復移動させる。すなわち、摺接部１３ａは、蓋体２が倒伏位置にあるとき第１のアーム６の基端側に当接することによって保持部材１３を第２のアーム７の基端側に配置し、蓋体２が倒伏位置から起立位置へ至る間に、第１のアーム６に対して先端側へ摺動することによって保持部材１３を第２のアーム７の先端側へ移動させ、第１及び第２のアーム６，７が伸直位置に達する直前に第１のアーム６から離れて保持部材１３を第１及び第２のアーム６，７の相互枢着部に係合させてロック状態とする。
以上添付図面の符号を参照して説明したが、本考案はこれに限定されるものではない。
【考案の効果】
【０００７】
この出願に係る考案の装置によれば、開口１を開放するために、蓋体２を起立位置に持ち来すと、第１及び第２のアーム６，７が相互伸直位置に達し、自動的に保持部材１３がアーム６，７の相互枢着部に係合してロック状態となる。この状態で作業員が誤ってアーム６，７に手を掛けてもロックが外れることはなく安全が保たれる。ロックを外すには、作業員が地上に出た後、予め保持部材１３に連結されている操作紐引いたり、治具を用いたりして保持部材１３をアーム６，７の相互枢着部から引き上げればよい。従来の既設の開放保持装置に本考案における保持部材１３を付加するだけで、安全な開放保持装置２５を容易に、低コストで構成することができる。
【考案を実施するための最良の形態】
【０００８】
図面を参照してこの考案の実施の形態を説明する。図１は本考案に係る開放保持装置を適用した洞道の換気孔の一部を示す斜視図、図２は蓋体が倒伏位置にあるときの開放保持装置の側面図、図３は蓋体が開放途上にあるときの開放保持装置の側面図、図４は蓋体が開放位置にあるときの開放保持装置の側面図、図５は図４に示す開放保持装置の正面図、図６は図４に示す開放保持装置の一部を切り欠いた側面図、図７は保持部材の斜視図である。
【０００９】
図１ないし図７に示す実施形態において、図８ないし図１１の従来のものと同等の構成部分には同一の符号を付して説明を省略する。
【００１０】
開放保持装置２５は、第１及び第２のアーム６，７と、保持部材１３とを具備する。アーム６，７の構成は先に説明した従来のものと同等である。
【００１１】
保持部材１３は、アーム７に摺動自在に被挿され、伸直位置において自重移動して第１及び第２のアーム６，７の相互枢着部に係合し、両アーム６，７を伸直位置に固定する。すなわち、保持部材１３は、アーム７及びアーム６の先端部を相対移動自在に包囲できるほぼ四角筒状の本体１３ａと、本体１３ａからアーム７の軸線に直交する一方向に延出した摺接部１３ｂとを具備する。
【００１２】
摺接部１３ａは、蓋体２の開閉動作に伴ってアーム６，７が相対変位する間、常時アーム６の側縁に摺接して保持部材１３をアーム７上で軸線方向に往復移動させる。すなわち、摺接部１３ａは、蓋体２が図２に示す倒伏位置にあるとき、アーム６の基端側に当接することによって保持部材１３をアーム７の上部基端側に配置する。蓋体２が図３に示すように、倒伏位置から起立位置へ至る間、摺接部１３ａは、アーム６の基端縁から外れ、アーム６の側縁に対して先端側へ摺接することによって保持部材１３をアーム７の先端側へ自重により移動させる。図４に示すように、蓋体２が起立し、アーム６，７が伸直位置に達する直前に摺接部１３ａはアーム６から離れ、保持部材１３をアーム７上で自重下降させる。保持部材１３は、ストッパ１２に当接して停止し、このとき、アーム６，７の先端部である相互枢着部が保持部材１３の本体１３ａに包囲される。この状態で、アーム６，７は屈折することができないので、ロック状態となり、蓋体２の起立状体が維持される。
【００１３】
この状態で、作業者が誤ってアーム６，７に手を掛けても、アーム６，７は屈折しないから、手を挟み込むような事故は生じない。
【００１４】
保持部材１３の摺接部１３ａと反対側の側面には、操作紐１４の一端が係止される。操作紐１４は、蓋体２を開放したときに、開口１の外側へ延びるように配置される。所要の作業が完了して作業員が開口１の外へ出た後、操作紐１４を開口１の外側から牽引すると、保持部材１３がアーム６，７の相互枢着部を包囲する位置から引き上げられると同時に、アーム６，７の相互枢着部が開口１の中央方向へ引かれる結果、ロックが外れ、相互枢着部が屈折して蓋体２を倒伏を許容する。アーム６，７が屈折する間、保持部材１３の摺接部１３ａは、アーム６の側縁に摺接して保持部材１３をアーム７上でその基端側へ上昇移動させ、図３に示す状態を経て、図２に示す状態に復帰する。なお、操作紐１４を用いなくても、直接足で操作し、あるいは他の適宜の治具等を用いて保持部材１３を操作することができる。
【図面の簡単な説明】
【００１５】
【図１】本考案に係る開放保持装置を適用した洞道の換気孔の一部を示す斜視図である。
【図２】蓋体が倒伏位置にあるときの開放保持装置の側面図である。
【図３】蓋体が開放途上にあるときの開放保持装置の側面図である。
【図４】蓋体が開放位置にあるときの開放保持装置の側面図である。
【図５】図４に示す開放保持装置の正面図である。
【図６】図４に示す開放保持装置の一部を切り欠いた側面図である。
【図７】保持部材の斜視図である。
【図８】従来の洞道の換気孔の一部を示す斜視図である。
【図９】蓋体が倒伏位置にあるときの従来の開放保持装置の側面図である。
【図１０】蓋体が開放位置にあるときの従来の開放保持装置の側面図である。
【図１１】従来の開放保持装置の一部を切り欠いた側面図である。
【符号の説明】
【００１６】
１      開口
２      蓋体
３      ヒンジ
４      開閉補助装置
５      開放保持装置
６      第１のアーム
７      第２のアーム
７ａ    リンクプレート
８      枢ピン
９      枢ピン
１０    イヤ
１１    枢ピン
１２    ストッパ
１３    保持部材
１３ａ  本体
１３ｂ  摺接部
１４    操作紐
２５    開放保持装置
【図１】
0003136119.tif 000003
【図２】
0003136119.tif 000004
【図３】
0003136119.tif 000005
【図４】
0003136119.tif 000006
【図５】
0003136119.tif 000007
【図６】
0003136119.tif 000008
【図７】
0003136119.tif 000009
【図８】
0003136119.tif 000010
【図９】
0003136119.tif 000011
【図１０】
0003136119.tif 000012
【図１１】
0003136119.tif 000013